(57)【要約】  複数のケーブルを回路基板に簡易、かつ短時間に接続可能であるとともに、小型化可能なケーブル構造体、実装モジュールおよび内視鏡を提供する。導体部である芯線５６および５１、ならびにシールド線５３と、絶縁性の被覆部とをそれぞれ有し、一端の被覆部が除去されて芯線５６および５１、ならびにシールド線５３が露出する単純線５５および同軸線５０と、樹脂成形されてなり、芯線５６および５１、ならびにシールド線５３が露出した一端を整列させた状態で保持するケーブル固定部６０と、を備え、ケーブル固定部６０は、前記ケーブルを接続する部材と対向する下面側および前記下面と対向する上面側に芯線５６および５１、ならびにシールド線５３が露出する第１の開口６４および第２の開口６５を有することを特徴とする。
2018116471.tif 000002
【特許請求の範囲】
【請求項１】
導体部と、絶縁性の被覆部とをそれぞれ有し、一端の被覆部の除去部分で前記導体部が露出する複数のケーブルと、
樹脂成形されてなり、前記複数のケーブルの前記導体部が露出した一端が整列した状態で、前記複数のケーブルを保持するケーブル固定部と、
を備え、
前記ケーブル固定部は、前記ケーブルを接続する部材と対向する下面側および前記下面と対向する上面側に、前記導体部がそれぞれ露出する上面開口および下面開口が形成されていることを特徴とするケーブル構造体。
【請求項２】
前記複数のケーブルは単純線であって、芯線と、該芯線を被覆する外皮と、を有し、
前記ケーブル固定部は、露出する前記芯線を固定する第１固定部と、前記外皮を固定する第２固定部と、からなり、前記第１固定部には、前記芯線を上面側および下面側にそれぞれ露出する前記上面開口および下面開口が形成されていることを特徴とする請求項１に記載のケーブル構造体。
【請求項３】
前記複数のケーブルは同軸線であって、芯線と、該芯線を被覆する内部絶縁体と、該内部絶縁体の周囲に形成されるシールド線と、該シールド線を被覆する外部絶縁体とを有し、
前記ケーブル固定部は、露出する前記芯線を固定する第１固定部と、前記内部絶縁体、前記シールド線および前記外部絶縁体を固定する第２固定部と、からなり、前記第１固定部には、前記芯線を上面側および下面側にそれぞれ露出する第１の上面開口および第１の下面開口が形成されるとともに、前記第２固定部には、前記シールド線を上面側および下面側にそれぞれ露出する第２の上面開口および第２の下面開口が形成されていることを特徴とする請求項１に記載のケーブル構造体。
【請求項４】
前記複数のケーブルは、導体部である芯線と、該芯線を被覆する絶縁性の被覆部とを有する単純線と、芯線と、該芯線を被覆する内部絶縁体と、該内部絶縁体の周囲に形成されるシールド線と、該シールド線を被覆する外部絶縁体とを有する同軸線からなり、
前記ケーブル固定部は、露出する前記単純線および前記同軸線の芯線を固定する第１固定部と、前記単純線の被覆部、ならびに前記同軸線の内部絶縁体、シールド線および外部絶縁体を固定する第２固定部と、からなり、前記第１固定部には、前記単純線および前記同軸線の芯線を上面側および下面側にそれぞれ露出する第１の上面開口および第１の下面開口が形成されるとともに、前記第２固定部には、前記シールド線を上面側および下面側にそれぞれ露出する第２の上面開口および第２の下面開口が形成されていることを特徴とする請求項１に記載のケーブル構造体。
【請求項５】
前記単純線の芯線と前記同軸線の芯線とは、前記第１固定部の下面側から同一距離に位置することを特徴とする請求項４に記載のケーブル構造体。
【請求項６】
前記ケーブル固定部は、前記第１固定部と前記第２固定部との間に段差部を有することを特徴とする請求項２〜５のいずれか一つに記載のケーブル構造体。
【請求項７】
前記ケーブル固定部は、前記第２固定部のみからなることを特徴とする請求項２〜４のいずれか一つに記載のケーブル構造体。
【請求項８】
請求項１〜７のいずれか一つに記載のケーブル構造体と、
前記ケーブルが接続される電極を有する基板と、
を備え、前記ケーブル構造体の下面開口を前記電極上に位置させた状態で、前記導体部と前記電極とが接続されていることを特徴とする実装モジュール。
【請求項９】
前記ケーブル構造体は、少なくとも同軸線を有し、
前記基板は、同軸線の芯線とシールドとをそれぞれ接続する芯線接続電極とシールド線接続電極とを有し、前記芯線接続電極と前記シールド線接続電極との間には基板段差部が形成されており、
前記ケーブル構造体のケーブル固定部に形成された段差部は前記基板段差部に当て付けられていることを特徴とする請求項８に記載の実装モジュール。
【請求項１０】
前記電極は、前記基板の上面および下面にそれぞれ形成され、
前記ケーブル構造体は、前記基板の上面および下面に前記電極を介してそれぞれ接続されていることを特徴とする請求項８に記載の実装モジュール。
【請求項１１】
光を受光して光電変換を行うことにより電気信号を生成する撮像素子と、
請求項８〜１０のいずれか一つに記載の実装モジュールと、を備える撮像装置が先端に設けられた挿入部を備えたことを特徴とする内視鏡。
【発明の詳細な説明】
【技術分野】
【０００１】
本発明は、ケーブル構造体、実装モジュールおよび内視鏡に関する。
【背景技術】
【０００２】
従来、被検体内に挿入されて被検部位の観察等を行う内視鏡が知られており、医療分野等で広く利用されている。内視鏡では、複数のケーブルをまとめた集合ケーブルが使用され、集合ケーブルの外部被覆を除去した状態で回路基板に接続されている。内視鏡の先端部は、患者への導入のしやすさを考慮し、細径化、短小化が望まれている。【０００３】
内視鏡の先端部の小型化を目的として、例えば、複数の同軸線の先端部をケーブル固定部材により固定し、ケーブル固定部材の回路基板の接続面と対向する面に、芯線およびシールド線を露出する開口部等の段差部を設け、この段差部分を電極部に嵌合させて複数の同軸線を一括接続する技術が開示されている（例えば、特許文献１参照）。
【先行技術文献】
【特許文献】
【０００４】
【特許文献１】特許第５５８３３７２号公報
【発明の概要】
【発明が解決しようとする課題】
【０００５】
特許文献１では、ケーブル固定部材上からヒートツールで加熱しながら同軸線の芯線またはシールド線を半田等により電極に接続するが、ケーブル固定部材を介しての加熱であるため、加熱に時間を要するとともに、撮像素子等に熱的ダメージを与えるおそれがあった。【０００６】
本発明は、上記に鑑みてなされたものであって、複数のケーブルを回路基板に簡易、かつ短時間に接続可能であるとともに、小型化可能なケーブル構造体、実装モジュールおよび内視鏡を提供することを目的とする。
【課題を解決するための手段】
【０００７】
上述した課題を解決し、目的を達成するために、本発明にかかるケーブル構造体は、導体部と、絶縁性の被覆部とをそれぞれ有し、一端の被覆部の除去部分で前記導体部が露出する複数のケーブルと、樹脂成形されてなり、前記複数のケーブルの前記導体部が露出した一端が整列した状態で、前記複数のケーブルを保持するケーブル固定部と、を備え、前記ケーブル固定部は、前記ケーブルを接続する部材と対向する下面側および前記下面と対向する上面側に、前記導体部がそれぞれ露出する上面開口および下面開口が形成されていることを特徴とする。【０００８】
また、本発明にかかるケーブル構造体は、上記発明において、前記複数のケーブルは単純線であって、芯線と、該芯線を被覆する外皮と、を有し、前記ケーブル固定部は、露出する前記芯線を固定する第１固定部と、前記外皮を固定する第２固定部と、からなり、前記第１固定部には、前記芯線を上面側および下面側にそれぞれ露出する前記上面開口および下面開口が形成されていることを特徴とする。【０００９】
また、本発明にかかるケーブル構造体は、上記発明において、前記複数のケーブルは同軸線であって、芯線と、該芯線を被覆する内部絶縁体と、該内部絶縁体の周囲に形成されるシールド線と、該シールド線を被覆する外部絶縁体とを有し、前記ケーブル固定部は、露出する前記芯線を固定する第１固定部と、前記内部絶縁体、前記シールド線および前記外部絶縁体を固定する第２固定部と、からなり、前記第１固定部には、前記芯線を上面側および下面側にそれぞれ露出する第１の上面開口および第１の下面開口が形成されるとともに、前記第２固定部には、前記シールド線を上面側および下面側にそれぞれ露出する第２の上面開口および第２の下面開口が形成されていることを特徴とする。【００１０】
また、本発明にかかるケーブル構造体は、上記発明において、前記複数のケーブルは、導体部である芯線と、該芯線を被覆する絶縁性の被覆部とを有する単純線と、芯線と、該芯線を被覆する内部絶縁体と、該内部絶縁体の周囲に形成されるシールド線と、該シールド線を被覆する外部絶縁体とを有する同軸線からなり、前記ケーブル固定部は、露出する前記単純線および前記同軸線の芯線を固定する第１固定部と、前記単純線の被覆部、ならびに前記同軸線の内部絶縁体、シールド線および外部絶縁体を固定する第２固定部と、からなり、前記第１固定部には、前記単純線および前記同軸線の芯線を上面側および下面側にそれぞれ露出する第１の上面開口および第１の下面開口が形成されるとともに、前記第２固定部には、前記シールド線を上面側および下面側にそれぞれ露出する第２の上面開口および第２の下面開口が形成されていることを特徴とする。【００１１】
また、本発明にかかるケーブル構造体は、上記発明において、前記単純線の芯線と前記同軸線の芯線とは、前記第１固定部の下面側から同一距離に位置することを特徴とする。【００１２】
また、本発明にかかるケーブル構造体は、上記発明において、前記ケーブル固定部は、前記第１固定部と前記第２固定部との間に段差部を有することを特徴とする。【００１３】
また、本発明にかかるケーブル構造体は、上記発明において、前記ケーブル固定部は、前記第２固定部のみからなることを特徴とする。【００１４】
また、本発明にかかる実装モジュールは、上記のいずれか一つに記載のケーブル構造体と、前記ケーブルが接続される電極を有する基板と、を備え、前記ケーブル構造体の下面開口を前記電極上に位置させた状態で、前記導体部と前記電極とが接続されていることを特徴とする。【００１５】
また、本発明にかかる実装モジュールは、上記発明において、前記ケーブル構造体は、少なくとも同軸線を有し、前記基板は、同軸線の芯線とシールドとをそれぞれ接続する芯線接続電極とシールド線接続電極とを有し、前記芯線接続電極と前記シールド線接続電極との間には基板段差部が形成されており、前記ケーブル構造体のケーブル固定部に形成された段差部は前記基板段差部に当て付けられていることを特徴とする。【００１６】
また、本発明にかかる実装モジュールは、上記発明において、前記電極は、前記基板の上面および下面にそれぞれ形成され、前記ケーブル構造体は、前記基板の上面および下面に前記電極を介してそれぞれ接続されていることを特徴とする。【００１７】
また、本発明にかかる内視鏡は、光を受光して光電変換を行うことにより電気信号を生成する撮像素子と、上記のいずれか一つに記載の実装モジュールと、を備える撮像装置が先端に設けられた挿入部を備えたことを特徴とする。
【発明の効果】
【００１８】
本発明にかかるケーブル構造体、実装モジュールおよび内視鏡は、ケーブル固定部で保持された状態で、ケーブルの導体部を直接ヒートツールで加熱することができるので、複数のケーブルを回路基板に簡易、かつ短時間に接続可能であって、ケーブルの引き回しの長さも短縮できるため小型化も可能となる。
【図面の簡単な説明】
【００１９】
【図１】図１は、本実施の形態１にかかる内視鏡システムの全体構成を模式的に示す図である。
【図２】図２は、図１の内視鏡で使用する撮像装置の側面図である。
【図３】図３は、図１の内視鏡で使用するケーブル構造体の斜視図である。
【図４】図４は、図３のケーブル固定部のみを示す斜視図である。
【図５】図５は、図３のケーブル構造体の側面図である。
【図６】図６は、図３のケーブル構造体の正面図である。
【図７】図７は、図３のケーブル構造体の背面図である。
【図８】図８は、本実施の形態１にかかるケーブル構造体の製造方法を説明するフローチャートである。
【図９】図９は、本発明の実施の形態１の変形例にかかるケーブル構造体の斜視図である。
【図１０】図１０は、図９のケーブル構造体の側面図である。
【図１１】図１１は、本発明の実施の形態２にかかる撮像装置の一部上面図である。
【図１２】図１２は、図１１の撮像装置の一部側面図である。
【図１３】図１３は、本発明の実施の形態３にかかるケーブル構造体の断面図である。
【発明を実施するための形態】
【００２０】
以下の説明では、本発明を実施するための形態（以下、「実施の形態」という）として、ケーブル構造体を有する撮像装置を備えた内視鏡システムについて説明する。また、この実施の形態により、この発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００２１】
（実施の形態１）
図１は、本発明の実施の形態１にかかる内視鏡システム１の全体構成を模式的に示す図である。図１に示すように、実施の形態１にかかる内視鏡システム１は、被検体内に導入され、被検体の体内を撮像して被検体内の画像信号を生成する内視鏡２と、内視鏡２が撮像した画像信号に所定の画像処理を施すとともに内視鏡システム１の各部を制御する情報処理装置３（外部プロセッサ）と、内視鏡２の照明光を生成する光源装置４と、情報処理装置３による画像処理後の画像信号を画像表示する表示装置５と、を備える。
【００２２】
内視鏡２は、被検体内に挿入される挿入部６と、挿入部６の基端部側であって術者が把持する操作部７と、操作部７より延伸する可撓性のユニバーサルコード８と、を備える。
【００２３】
挿入部６は、照明ファイバ（ライトガイドケーブル）、電気ケーブルおよび光ファイバ等を用いて実現される。挿入部６は、後述する撮像ユニットを内蔵した先端部６ａと、複数の湾曲駒によって構成された湾曲自在な湾曲部６ｂと、湾曲部６ｂの基端部側に設けられた可撓性を有する可撓管部６ｃと、を有する。先端部６ａには、照明レンズを介して被検体内を照明する照明部、被検体内を撮像する観察部、処置具用チャンネルを連通する開口部および送気・送水用ノズル（図示せず）が設けられている。
【００２４】
操作部７は、湾曲部６ｂを上下方向および左右方向に湾曲させる湾曲ノブ７ａと、被検体の体腔内に生体鉗子、レーザメス等の処置具が挿入される処置具挿入部７ｂと、情報処理装置３、光源装置４、送気装置、送水装置および送ガス装置等の周辺機器の操作を行う複数のスイッチ部７ｃと、を有する。処置具挿入部７ｂから挿入された処置具は、内部に設けられた処置具用チャンネルを経て挿入部６先端の開口部６ｄから表出する。
【００２５】
ユニバーサルコード８は、照明ファイバ、ケーブル等を用いて構成される。ユニバーサルコード８は、基端で分岐しており、分岐した一方の端部がコネクタ８ａであり、他方の端部がコネクタ８ｂである。コネクタ８ａは、情報処理装置３のコネクタに対して着脱自在である。コネクタ８ｂは、光源装置４に対して着脱自在である。ユニバーサルコード８は、光源装置４から出射された照明光を、コネクタ８ｂ、および照明ファイバを介して先端部６ａに伝播する。また、ユニバーサルコード８は、後述する撮像装置が撮像した画像信号を、ケーブルおよびコネクタ８ａを介して情報処理装置３に伝送する。
【００２６】
情報処理装置３は、コネクタ８ａから出力される画像信号に所定の画像処理を施すとともに、内視鏡システム１全体を制御する。
【００２７】
光源装置４は、光を発する光源や、集光レンズ等を用いて構成される。光源装置４は、情報処理装置３の制御のもと、光源から光を発し、コネクタ８ｂおよびユニバーサルコード８の照明ファイバを介して接続された内視鏡２へ、被写体である被検体内に対する照明光として供給する。
【００２８】
表示装置５は、液晶または有機ＥＬ（Ｅｌｅｃｔｒｏ  Ｌｕｍｉｎｅｓｃｅｎｃｅ）を用いた表示ディスプレイ等を用いて構成される。表示装置５は、映像ケーブル５ａを介して情報処理装置３によって所定の画像処理が施された画像を含む各種情報を表示する。これにより、術者は、表示装置５が表示する画像（体内画像）を見ながら内視鏡２を操作することにより、被検体内の所望の位置の観察および性状を判定することができる。
【００２９】
次に、撮像装置の構成について詳細に説明する。図２は、図１の内視鏡２で使用する撮像装置１００の側面図である。図３は、内視鏡２で使用するケーブル構造体４０の斜視図である。図４は、図３のケーブル固定部６０のみを示す斜視図である。図５は、ケーブル構造体４０の側面図である。図６は、ケーブル構造体４０の正面図である（正面ｆ１側）。図７は、ケーブル構造体４０の背面図（背面ｆ２側、単純線５５と同軸線５０は断面で示している）である。
【００３０】
撮像装置１００は、撮像素子１０と、第１の回路基板２０と、第２の回路基板３０と、ケーブル構造体４０と、を備える。
【００３１】
撮像素子１０には、受光部を保護するカバーガラス１１が貼り付けられている。第１の回路基板２０は、フレキシブルプリント基板（以下「ＦＰＣ基板」という）であり、撮像素子１０から光軸方向に延出するように配置され、インナーリード２１が撮像素子１０の電極パッド（図示せず）に接続されている。
【００３２】
第２の回路基板３０は、積層基板であり、撮像素子１０の駆動回路を構成する電子部品（図示しない）が実装または内蔵され、複数の導体層間を電気的に導通させるビア（図示しない）が形成されている。第２の回路基板３０の基端には、単純線５５および同軸線５０の芯線５６および５１を接続する芯線接続電極３２と、同軸線５０のシールド線５３を接続するシールド線接続電極３３とが形成されている。また、第２の回路基板３０の芯線接続電極３２とシールド線接続電極３３との間には、光軸方向と直交する方向に基板段差部３１が形成されている。
【００３３】
ケーブル構造体４０は、１本の単純線５５と、２本の同軸線５０と、単純線５５および同軸線５０を整列させた状態で保持するケーブル固定部６０と、からなる。
【００３４】
単純線５５は、導体部である芯線５６が絶縁性の外皮５７で被覆され、一端の外皮５７が除去されて、芯線５６を露出している。
【００３５】
同軸線５０は、導体部である芯線５１と、芯線５１を被覆する内部絶縁体５２と、内部絶縁体５２の周囲に形成される導体部であるシールド線５３と、シールド線５３を被覆する外部絶縁体５４とを有する。同軸線５０の一端は、芯線５１、内部絶縁体５２、シールド線５３が夫々露出するように各部が除去されている。
【００３６】
ケーブル固定部６０は、単純線５５および同軸線５０を治具等により成形枠内に固定した状態で、溶融した樹脂を成形枠に流し込んで成形された樹脂からなる。ケーブル固定部６０は、単純線５５の芯線５６および同軸線５０の芯線５１を固定する第１固定部６１と、単純線５５の露出する芯線５６より基端側の外皮５７、および同軸線５０の内部絶縁体５２、シールド線５３および外部絶縁体５４を固定する第２固定部６２とからなる。
【００３７】
第１固定部６１には、第１の開口６４が形成されている。第１の開口６４内から単純線５５の芯線５６および同軸線５０の芯線５１が露出している。芯線５６および５１は、第１の開口６４の上面ｆ４側（第１の上面開口６４ａ）と、下面ｆ３側（第１の下面開口６４ｂ）からそれぞれ露出している。単純線５５の芯線５６および同軸線５０の芯線５１は、図６に示すように、第１固定部６１の下面ｆ３側から同一距離に位置するように配置されている。芯線５６および５１を第１固定部６１の下面ｆ３側から同一距離に位置するように配置することにより、第２の回路基板３０の芯線接続電極３２への接続作業が容易となる。
【００３８】
第２固定部６２には、第２の開口６５が形成されている。第２の開口６５内から同軸線５０のシールド線５３が露出している。シールド線５３は、第２の開口６５の上面ｆ４側（第２の上面開口６５ａ）と、下面ｆ３側（第２の下面開口６５ｂ）からそれぞれ露出している。
【００３９】
ケーブル固定部６０の下面ｆ３側であって、第１固定部６１と第２固定部６２との間には、段差部６３が形成されている。
【００４０】
次に、図を参照してケーブル構造体４０の製造方法について説明する。図８は、本実施の形態１にかかるケーブル構造体の製造方法を説明するフローチャートである。
【００４１】
まず、単純線５５および同軸線５０を治工具に固定する（ステップＳ１）。ケーブルを固定した後、単純線５５の外皮５７を除去して芯線５６を露出するとともに、同軸線５０の芯線５１、内部絶縁体５２、シールド線５３が端部から夫々露出するように、内部絶縁体５２、シールド線５３および外部絶縁体５４を除去する端末加工（導体露出）を行う（ステップＳ２）。治工具により固定した状態でケーブル端末加工を行うことにより、露出部分の長さ調整を容易に行うことができる。
【００４２】
固定した状態の単純線５５および同軸線５０を成形枠内に配置し、湯口から溶融した樹脂を充填し、冷却後、成形枠を取り外して、ケーブル固定部６０を成形する（ステップＳ３）。なお、ケーブル固定部６０の厚さｈ１（図５参照）は、撮像装置１００の細径化の観点から、上面ｆ４から同軸線５０の外部絶縁体５４を露出させる程度の厚さｈ１とすることが好ましい。同様に、ケーブル固定部６０の幅ｈ２（図４参照）は、単純線５５および同軸線５０を固定できれば、外側に配置される同軸線５０の外部絶縁体５４が露出する長さであってもよいが、ケーブル構造体４０を把持する際の容易さの観点から、外部絶縁体５４がケーブル固定部６０に覆われて、平面の側面ｆ５およびｆ６が形成されていることが好ましい。
【００４３】
ケーブル固定部６０の上面ｆ４側および下面ｆ３側から、マスクをした状態でレーザ加工により、第１の開口６４および第２の開口６５を形成する（ステップＳ４）。段差部６３は、成形枠により成形してもよいが、開口を形成する際に、形成してもよい。
【００４４】
ケーブル構造体４０と第２の回路基板３０との接続は、ケーブル固定部６０の第１の開口６４および第２の開口６５を、第２の回路基板３０の芯線接続電極３２およびシールド線接続電極３３上に位置するように配置し、芯線５６および５１、ならびにシールド線５３を、芯線接続電極３２およびシールド線接続電極３３に半田３４によりそれぞれ接続する。本実施の形態１では、接続の際、ケーブル固定部６０の上部からヒートツールで加熱して半田３４を溶融させるが、ヒートツールを、直接芯線５６および５１、ならびにシールド線５３に接触させて加熱することができるので、長時間加熱する必要がなく、撮像素子１０や電子部品等への熱的ダメージを低減することができる。
【００４５】
また、接続する単純線５６および同軸線５０をケーブル固定部６０により位置合わせした状態で固定しているので、個別に単純線５６および同軸線５０を接続するのに比べて簡易に接続作業を行うことができる。さらに、本実施の形態１では、ケーブル構造体４０の段差部６３を、第２の回路基板３０の基板段差部３１に当接させることにより、光軸方向の位置合わせを簡易に行うことができるとともに、芯線５６及び５１を折り曲げることなく芯線接続電極３２およびシールド線接続電極３３に接続可能であり、接続不良を低減することができる。
【００４６】
上記の実施の形態１では、ケーブル構造体４０は、同軸線５０の間に単純線５５が配置されているが、これに限定されるものではなく、同軸線５０を並べて配置してもよい。同軸線５０を並べて配置する場合、第２の開口６５を同軸線５０毎に設けることなく、１つの開口としてもよい。
【００４７】
また、上記の実施の形態１では、芯線５６および５１を第１固定部６１により固定して保護しているが、第１固定部６１を設けずに、芯線５６および５１の全体を露出させてもよい。図９は、本発明の実施の形態１の変形例にかかるケーブル構造体４０Ａの斜視図である。図１０は、図９のケーブル構造体４０Ａの側面図である。
【００４８】
ケーブル固定部６０Ａは、単純線５５の露出する芯線５６より基端側の外皮５７、および同軸線５０の内部絶縁体５２、シールド線５３および外部絶縁体５４を固定する第２固定部６２のみからなり、単純線５５の芯線５６および同軸線５０の芯線５１は全体が露出している。
【００４９】
本実施の形態１の変形例では、ヒートツールを直接芯線５６および５１に接触させて加熱することができるので、加熱時間をより短縮することができる。また、第２固定部６２の正面ｆ１側を、第２の回路基板３０の基板段差部３１に当接させることにより、光軸方向の位置合わせを簡易に行うことができるとともに、芯線５６および５１を折り曲げることなく芯線接続電極３２に接続可能であり、接続不良を低減することができる。
【００５０】
（実施の形態２）
実施の形態２では、第２の回路基板の上面側と下面側にケーブル構造体がそれぞれ接続されている。図１１は、本発明の実施の形態２にかかる撮像装置の一部上面図である。図１２は、図１１の撮像装置の一部側面図である。
【００５１】
ケーブル構造体４０Ｂは、３本の単純線７１を集合させた集合ケーブル７０と、ケーブル固定部６０Ｂとからなる。ケーブル固定部６０Ｂは、集合ケーブル７０の総合ジャケット７４および単純線７１の外皮７３を除去し、芯線７２および外皮７３を露出した単純線７１を固定している。
【００５２】
ケーブル固定部６０Ｂは、単純線７１の芯線７２を固定する第１固定部６１と、単純線５５の外皮５７を固定する第２固定部６２とからなる。第２固定部６２は、単純線７１を、集合ケーブル７０に固定された配置状態から、芯線接続電極３２の配置状態までフォーミング（折り曲げ整列）して固定する。
【００５３】
第１固定部６１には、第１の開口６４が形成されている。第１の開口６４内から芯線７２が露出している。芯線７２は、第１の開口６４の上面ｆ４側（第１の上面開口６４ａ）と、下面ｆ３側（第１の下面開口６４ｂ）からそれぞれ露出している。
【００５４】
ケーブル固定部６０Ｂの下面ｆ３側であって、第１固定部６１と第２固定部６２との間には、段差部６３が形成されている。
【００５５】
第２の回路基板３０Ｂの上面側および下面側に、芯線接続電極３２がそれぞれ形成され、上面側および下面側の芯線接続電極３２に、ケーブル固定部６０Ｂがそれぞれ接続されている。
【００５６】
本実施の形態２では、集合ケーブル７０から単純線７１を引き回して、所定の形状にフォーミングさせた状態で単純線７１をケーブル固定部６０Ｂで固定している。ケーブル固定部６０Ｂで単純線７１をフォーミングして固定することにより、接続が容易となるとともに、単純線７１の引き回しの長さｒ１（図１１参照）を短くすることができ、撮像装置を小型化することができる。
【００５７】
また、実施の形態１と同様に、ヒートツールを直接芯線７２に接触させて加熱することができるので、加熱時間を短縮することができる。さらに、段差部６３を、第２の回路基板３０Ｂの基板段差部３１に当接させることにより、光軸方向の位置合わせを簡易に行うことができるとともに、芯線７２を折り曲げることなく芯線接続電極３２に接続可能であり、接続不良を低減することができる。
【００５８】
本実施の形態２では、集合ケーブル７０から単純線７１を引き回してケーブル固定部６０Ｂでフォーミングしているが、これに限定するものではなく、単純線と同軸線との複合ケーブルから各ケーブルを引き回してケーブル固定部で固定するものであってもよい。また、第２の回路基板３０Ｂの上面側と下面側に、異なるケーブルを有するケーブル構造体を接続してもよい。
【００５９】
（実施の形態３）
実施の形態３では、ケーブル固定部は樹脂フィルムからなる。図１３は、本発明の実施の形態３にかかるケーブル構造体４０Ｃの断面図である。図１３の（Ａ）は、単純線７１の芯線７２が外皮７３で覆われた単純線７１をケーブル固定部６０Ｃで固定する第２固定部６２の断面図であり、図１３（Ｂ）は、外皮７３が除去された芯線７２をケーブル固定部６０Ｃで固定する第１固定部６１の断面図である。
【００６０】
ケーブル固定部６０Ｃは、単純線７１を上下方向から２枚の樹脂フィルムで覆い、ラミネート成形されてなる。
【００６１】
第１固定部６１には、第１の開口６４が形成されている。第１の開口６４内から芯線７２が露出している。芯線７２は、第１の開口６４の上面ｆ４側と、下面ｆ３側から露出している。
【００６２】
本実施の形態３では、ヒートツールを直接芯線７２に接触させて加熱することができるので、加熱時間を短縮することができる。
【符号の説明】
【００６３】
１  内視鏡システム
２  内視鏡
３  情報処理装置
４  光源装置
５  表示装置
６  挿入部
６ａ  先端部
６ｂ  湾曲部
６ｃ  可撓管部
６ｄ  開口部
７  操作部
７ａ  湾曲ノブ
７ｂ  処置具挿入部
７ｃ  スイッチ部
８  ユニバーサルコード
８ａ、８ｂ  コネクタ
１０  撮像素子
１１  カバーガラス
２０  第１の回路基板
２１  インナーリード
３０  第２の回路基板
３１  基板段差部
３２  芯線接続電極
３３  シールド線接続電極
４０  ケーブル構造体
５０  同軸線
５１、５６  芯線
５２  内部絶縁体
５３  シールド線
５４  外部絶縁体
５５、７１  単純線
５７  外皮
６０  ケーブル固定部
６１  第１固定部
６２  第２固定部
６３  段差部
６４  第１の開口
６５  第２の開口
【図１】
2018116471.tif 000003
【図２】
2018116471.tif 000004
【図３】
2018116471.tif 000005
【図４】
2018116471.tif 000006
【図５】
2018116471.tif 000007
【図６】
2018116471.tif 000008
【図７】
2018116471.tif 000009
【図８】
2018116471.tif 000010
【図９】
2018116471.tif 000011
【図１０】
2018116471.tif 000012
【図１１】
2018116471.tif 000013
【図１２】
2018116471.tif 000014
【図１３】
2018116471.tif 000015
【国際調査報告】
2018116471.tif 000016
2018116471.tif 000017
2018116471.tif 000018
2018116471.tif 000019